(57)【要約】  本発明は、階調調整方法及び装置を提供し、前記方法は、原画像の画像階調値又は少なくとも一つの領域階調値を取得するステップと、複数の予め設定された階調補正区間から前記画像階調値又は前記領域階調値に対応する予め設定された階調補正区間を選択するステップと、前記待機階調補正区間に対応する前記階調補正値を取得するステップと、前記階調補正値に応じて前記原画像の画素階調値を補正するステップとを含む。【選択図】図1
2018530776.tif 000002
【特許請求の範囲】
【請求項１】
階調調整方法であって、
液晶表示パネルに入力された原画像の画像階調値を取得するステップと、
複数の予め設定された階調補正区間から前記画像階調値に対応する予め設定された階調補正区間を選択して待機階調補正区間とし、前記予め設定された階調補正区間に階調補正値が設定されているステップと、
前記待機階調補正区間に対応する前記階調補正値を取得するステップと、
前記階調補正値に応じて前記原画像の画素階調値を補正するステップと、を含む階調調整方法。
【請求項２】
前記画像階調値は、前記液晶表示パネルに入力された前記原画像の全部の画素階調値の平均値であり、
前記階調補正値に応じて前記原画像の階調値を補正するステップは、
前記階調補正値に応じて前記原画像全体の画素階調値を補正するステップを含む請求項１に記載の階調調整方法。
【請求項３】
前記予め設定された階調補正区間は、経験値により設定され、前記階調補正値は、バックライトの輝度均一性の測定データにより設定される請求項１に記載の階調調整方法。
【請求項４】
前記階調調整方法は、
前記原画像データが表示される時の前記表示パネルの表示輝度及び透過率を取得するステップと、
前記表示パネルの表示輝度及び透過率により、バックライト調整比率及び前記バックライト調整比率に対応する補助補正値を取得するステップと、
前記補助補正値に応じて前記原画像データの階調値を補正するステップと、をさらに備える請求項１に記載の階調調整方法。
【請求項５】
前記階調調整方法は、
バックライトの輝度を前記バックライト調整比率に対応する輝度にまで低減するステップをさらに備える請求項４に記載の階調調整方法。
【請求項６】
階調調整方法であって、
液晶表示パネルに入力された原画像の少なくとも一つの領域階調値を取得するステップと、
複数の予め設定された階調補正区間から、前記領域階調値に対応する予め設定された階調補正区間を選択して、待機階調補正区間とし、前記予め設定された階調補正区間に、階調補正値が設定されているステップと、
前記待機階調補正区間に対応する前記階調補正値を取得するステップと、
前記階調補正値に応じて前記原画像の画素階調値を補正するステップと、を備える階調調整方法。
【請求項７】
前記取得液晶表示パネルに入力された原画像の少なくとも一つの領域階調値を取得するステップは、
前記液晶表示パネルを少なくとも２つの予め設定された領域を分割するステップと、
前記予め設定された領域に対応する前記原画像の画素階調値の平均値を取得するステップとを含み、
前記階調補正値に応じて前記原画像の階調値を補正するステップは、
前記階調補正値に応じて前記予め設定された領域の前記原画像の画素階調値を補正するステップを含む請求項６に記載の階調調整方法。
【請求項８】
前記液晶表示パネルは、少なくとも２つの画素行又は少なくとも２つの画素列を備え、前記予め設定された領域は、前記画素行又は前記画素列に対応する請求項７に記載の階調調整方法。
【請求項９】
前記予め設定された階調補正区間は、経験値により設定され、前記階調補正値は、バックライトの輝度均一性の測定データにより設定される請求項６に記載の階調調整方法。
【請求項１０】
前記階調調整方法は、
前記原画像データが表示される時の前記表示パネルの表示輝度及び透過率を取得するステップと、
前記表示パネルの表示輝度及び透過率により、バックライト調整比率及び前記バックライト調整比率に対応する補助補正値を取得するステップと、
前記補助補正値に応じて前記原画像データの階調値を補正するステップと、をさらに含む請求項６に記載の階調調整方法。
【請求項１１】
前記階調調整方法は、
バックライトの輝度を前記バックライト調整比率に対応する輝度にまで低減する請求項１０に記載の階調調整方法。
【請求項１２】
液晶表示パネルと、バックライトと、階調値取得用モジュールと、待機階調補正区間取得用モジュールと、階調補正値取得用モジュールと、第１補正モジュールとを備える階調調整装置であって、
前記階調値取得用モジュールは、液晶表示パネルに入力された原画像の画像階調値又は少なくとも一つの領域階調値を取得するために用いられ、
前記待機階調補正区間取得用モジュールは、複数の予め設定された階調補正区間から前記画像階調値又は前記領域階調値に対応する予め設定された階調補正区間を選択して、待機階調補正区間とするために用いられ、前記予め設定された階調補正区間に、階調補正値が設定されており、
前記階調補正値取得用モジュールは、前記待機階調補正区間に対応する前記階調補正値を取得するために用いられ、
前記第１補正モジュールは、前記階調補正値に応じて前記原画像の画素階調値を補正するために用いられる階調調整装置。
【請求項１３】
前記階調値取得用モジュールは、さらに、取得前記液晶表示パネルに入力される前記原画像の全部の画素階調値の平均値を取得するために用いられ、
前記第１補正モジュールは、さらに、前記階調補正値に応じて前記原画像全体の画素階調値を補正するために用いられる請求項１２に記載の階調調整装置。
【請求項１４】
前記階調値取得用モジュールは、さらに、前記液晶表示パネルを少なくとも２つの予め設定された領域に分割し、且つ前記予め設定された領域に対応する前記原画像の画素階調値の平均値を取得するために用いられ、
前記第１補正モジュールは、さらに、前記階調補正値に応じて、対応の予め設定された領域の前記原画像の画素階調値を補正するために用いられる請求項１２に記載の階調調整装置。
【請求項１５】
前記液晶表示パネルは、少なくとも２つの画素行又は少なくとも２つの画素列を備え、前記予め設定された領域は、前記画素行又は前記画素列に対応する請求項１４に記載の階調調整装置。
【請求項１６】
前記予め設定された階調補正区間は、経験値により設定され、前記階調補正値は、バックライトの輝度均一性の測定データにより設定される請求項１２に記載の階調調整装置。
【請求項１７】
前記階調調整装置は、表示輝度及び透過率取得モジュールと、補助補正値取得モジュールと、第２補正モジュールとをさらに備え、
前記表示輝度及び透過率取得モジュールは、前記原画像データが表示される時の前記表示パネルの表示輝度及び透過率を取得するために用いられ、
前記補助補正値取得モジュールは、前記表示パネルの表示輝度及び透過率により、バックライト調整比率及び前記バックライト調整比率に対応する補助補正値を取得するために用いられ、
前記第２補正モジュールは、前記補助補正値に応じて前記原画像データの階調値を補正するために用いられる請求項１２に記載の階調調整装置。
【請求項１８】
前記階調調整装置は、バックライト調整モジュールをさらに備え、前記バックライト調整モジュールは、バックライトの輝度を前記バックライト調整比率に対応する輝度にまで低減するために用いられる請求項１７に記載の階調調整装置。
【発明の詳細な説明】
【技術分野】
【０００１】
本発明は、表示装置の技術分野に関し、特に階調調整方法及び装置に関する。
【背景技術】
【０００２】
現在、スマートフォンの表示画面は、ますます大型化に進んでいるため、携帯電話の表示モジュールの大型化が求められている。しかし、携帯電話モジュールのサイズが増加し続けるにつれて、モジュールによる表示ムラも問題となる。表示ムラの問題を解決するために、現在、例えば、表示画像データを解析、演算してバックライトの電力（輝度）を自動的に調整して省電力化する技術であるＣＡＢＣ（Ｃｏｎｔｅｎｔ  Ａｄａｐｔｉｖｅ  Ｂｒｉｇｈｔｎｅｓｓ  Ｃｏｎｔｒｏｌ）機能などのバックライトの構造及び組成を改善する技術が汎用されているが、この技術は、部分的にしか表示ムラの問題を改善できず、徹底的に表示ムラの問題を改善することができない。
したがって、従来の技術的な問題点を解決するために、階調調整方法及び装置を提供する必要がある。
【発明の概要】
【０００３】
本発明の目的は、従来技術での表示パネルに表示ムラが発生しやすいという課題を解決するために、階調調整方法及び装置を提供することである。
【０００４】
上述した課題を解決するために、本発明は、階調調整方法を提供し、前記階調調整方法は、液晶表示パネルに入力された原画像の画像階調値を取得するステップと、
複数の予め設定された階調補正区間から、前記画像階調値に対応する予め設定された階調補正区間を選択して待機階調補正区間とし、前記予め設定された階調補正区間に階調補正値が設定されているステップと、
前記待機階調補正区間に対応する前記階調補正値を取得するステップと、
前記階調補正値に応じて前記原画像の画素階調値を補正するステップとを含む。
【０００５】
本発明の階調調整方法において、前記画像階調値は、前記液晶表示パネルに入力された前記原画像の全部の画素階調値の平均値であり、
前記階調補正値に応じて前記原画像の階調値を補正するステップは、
前記階調補正値に応じて前記原画像全体の画素階調値を補正するステップを含む。
【０００６】
本発明の階調調整方法において、前記予め設定された階調補正区間は、経験値により設定され、前記階調補正値は、バックライトの輝度均一性の測定データにより設定される。
【０００７】
本発明の階調調整方法において、前記方法は、
前記原画像データが表示される時の前記表示パネルの表示輝度及び透過率を取得ステップと、
前記表示パネルの表示輝度及び透過率により、バックライト調整比率及び前記バックライト調整比率に対応する補助補正値を取得するステップと、
前記補助補正値に応じて、前記原画像データの階調値を補正するステップとをさらに含む。
【０００８】
本発明の階調調整方法において、前記方法は、
バックライトの輝度を前記バックライト調整比率に対応する輝度にまで低減することをさらに含む。
【０００９】
上述した課題を解決するために、本発明は、階調調整方法を提供し、前記階調調整方法は、
液晶表示パネルに入力された原画像の少なくとも一つの領域階調値を取得するステップと、
複数の予め設定された階調補正区間から、前記領域階調値に対応する予め設定された階調補正区間を選択して待機階調補正区間とし、前記予め設定された階調補正区間に階調補正値が設定されるステップと、
前記待機階調補正区間に対応する前記階調補正値を取得するステップと、
前記階調補正値に応じて前記原画像の画素階調値を補正するステップとを含む。
【００１０】
本発明の階調調整方法において、前記液晶表示パネルに入力された原画像の少なくとも一つの領域階調値を取得するステップは、
前記液晶表示パネルを少なくとも２つの予め設定された領域に分割するステップと、
前記予め設定された領域に対応する前記原画像の画素階調値の平均値を取得するステップとを含み、
前記階調補正値に応じて前記原画像の階調値を補正するステップは、
前記階調補正値に応じて、対応の前記予め設定された領域の前記原画像の画素階調値を補正するステップをさらに含む。
【００１１】
本発明の階調調整方法において、前記液晶表示パネルは、少なくとも２つの画素行又は少なくとも２つの画素列とを備え、前記予め設定された領域は、前記画素行又は前記画素列に対応する。
【００１２】
本発明の階調調整方法において、前記予め設定された階調補正区間は、経験値により設定され、前記階調補正値は、バックライトの輝度均一性の測定データにより設定される。
【００１３】
本発明の階調調整方法において、前記方法は、
前記原画像データが表示される時の前記表示パネルの表示輝度及び透過率を取得するステップと、
前記表示パネルの表示輝度及び透過率により、バックライト調整比率及び前記バックライト調整比率に対応する補助補正値を取得するステップと、
前記補助補正値に応じて、前記原画像データの階調値を補正するステップとを含む。
【００１４】
本発明の階調調整方法において、前記方法は、
バックライトの輝度を前記バックライト調整比率に対応する輝度にまで低減するステップをさらに含む。
【００１５】
本発明は、階調調整装置を提供し、前記階調調整装置は
液晶表示パネルと、バックライトと、液晶表示パネルと、バックライトと、階調値取得用モジュールと、待機階調補正区間取得用モジュールと、階調補正値取得用モジュールと、第１補正モジュールと、を備え、
階調値取得用モジュールは、液晶表示パネルに入力された原画像の画像階調値又は少なくとも一つの領域階調値取得するために用いられ、
待機階調補正区間取得用モジュールは、複数の予め設定された階調補正区間から前記画像階調値又は前記領域階調値に対応する予め設定された階調補正区間を選択して待機階調補正区間とし、前記予め設定された階調補正区間に、階調補正値が設けられ、
階調補正値取得用モジュールは、前記待機階調補正区間に対応する前記階調補正値を取得するために用いられ、
第１補正モジュールは、前記階調補正値に応じて前記原画像の画素階調値を補正するために用いられる。
【００１６】
本発明の階調調整装置において、前記階調値取得用モジュールは、さらに、前記液晶表示パネルに入力された前記原画像の全部の画素階調値の平均値を取得するために用いられ、
前記第１補正モジュールは、さらに、前記階調補正値に応じて前記原画像全体の画素階調値を補正するために用いられる。
【００１７】
本発明の階調調整装置において、前記階調値取得用モジュールは、さらに、前記液晶表示パネルを少なくとも２つの予め設定された領域に分割し、前記予め設定された領域に対応する前記原画像の画素階調値の平均値を取得するために用いられ、
前記第１補正モジュールは、さらに、前記階調補正値に応じて、対応の予め設定された領域の前記原画像の画素階調値を補正するために用いられる。
【００１８】
本発明の階調調整装置において、前記液晶表示パネルは、少なくとも２つの画素行又は少なくとも２つの画素列を備え、前記予め設定された領域は、前記画素行又は前記画素列に対応する。
【００１９】
本発明の階調調整装置において、前記予め設定された階調補正区間は、経験値により設定され、前記階調補正値は、バックライトの輝度均一性の測定データにより設定される。
【００２０】
本発明の階調調整装置において、前記階調調整装置は、表示輝度及び透過率取得モジュールと、補助補正値取得モジュールと、第２補正モジュールとをさらに備え、
前記表示輝度及び透過率取得モジュールは、前記原画像データが表示される時の前記表示パネルの表示輝度及び透過率を取得するために用いられ、
前記補助補正値取得モジュールは、前記表示パネルの表示輝度及び透過率により、バックライト調整比率及び前記バックライト調整比率に対応する補助補正値を取得するために用いられ、
前記第２補正モジュールは、前記補助補正値に応じて、前記原画像データの階調値を補正するために用いられる。
【００２１】
本発明の階調調整装置において、前記階調調整装置は、バックライト調整モジュールをさらに備え、前記バックライト調整モジュールは、バックライトの輝度を前記バックライト調整比率に対応する輝度にまで低減するために用いられる。
【００２２】
本発明の階調調整方法及び装置は、画像の階調平均値を取得し、且つ階調平均値に応じて対応の補正値を取得し、補正値を用いて画像の階調を補正することによって、画面をより均一に表示させ、表示効果を向上させることができる。
【図面の簡単な説明】
【００２３】
【図１】図１は本発明の第１実施例における階調調整方法のフローチャートを示す図である。
【図２】図２は本発明の第２実施例における階調調整方法のフローチャートを示す図である。
【図３】図３は本発明の第３実施例における階調調整方法のフローチャートを示す図である。
【図４】図４は本発明の第１の階調調整装置の構造を示す図である。
【図５】図５は本発明の第２の階調調整装置の構造を示す図である。
【発明を実施するための形態】
【００２４】
以下、添付の図面を参照しながら、本発明を実施するための特定の実施形態を説明する。本願明細書で言及されている方向を示す用語、例えば、「上」、「下」、「前」、「後」、「左」、「右」、「内側」、「外側」、「側面」などは、添付の図に方向を示す用語である。したがって、本願発明を理解するために用いられ、本願発明はこれに限定されるものではない。図面においては、構造的に類似な構成は、同じ参照番号で示されている。
【００２５】
図１を参照されたい。図１は、本発明の第１実施例における階調調整方法のフローチャートを示している。
【００２６】
本発明の階調調整方法は、具体的には、以下のようなＳ１０１とＳ１０２とＳ１０３とＳ１０４とを含む。
【００２７】
Ｓ１０１：液晶表示パネルに入力された原画像の画像階調値を取得するステップ。
【００２８】
前記液晶表示パネルに原画像を入力し、前記原画像は、複数の画素階調値を有する。
【００２９】
Ｓ１０２：複数の予め設定された階調補正区間から前記画像階調値に対応する予め設定された階調補正区間を選択し、待機階調補正区間とするステップ。
【００３０】
前記画像階調値は、前記液晶表示パネルに入力された前記原画像の全部の画素階調値の平均値であり、前記予め設定された階調補正区間に、階調補正値が設けられている。
【００３１】
例えば、予めに階調値の全体を［０〜１５］、［１６〜３１］、...［２３９〜２５５］などの１６個の区間に分け、即ち１６個の前記予め設定された階調補正区間が形成されている。予め設定された階調補正区間の個々は、補正係数に対応し、それぞれａ１、ａ２、...ａ１６とする。そのａ１、ａ２、...ａ１６は、バックライトメーカから提供されたバックライトの均一性測定データより得られ、前記予め設定された階調補正区間は、経験値により設定されることができる。
【００３２】
例として、前記画像階調値が１７階調である場合、待機階調補正区間は、第２予め設定された階調補正区間である。
【００３３】
Ｓ１０３：前記待機階調補正区間に対応する前記階調補正値を取得するステップ。
【００３４】
Ｓ１０２で得られた待機階調補正区間、即ち第２予め設定された階調補正区間によって、対応する前記階調補正値はａ２である。
【００３５】
Ｓ１０４：前記階調補正値に応じて前記原画像全体の画素階調値を補正するステップ。
【００３６】
Ｓ１０３で得られた階調補正値ａ２で、前記原画像の画素階調値を補正する。
【００３７】
初期画像全体の階調を補正することによって、表示中に生じた表示ムラの問題を全体として改善することができる。
【００３８】
図２を参照されたい。図２は、本発明の第２実施例における階調調整方法のフローチャートを示している。
【００３９】
Ｓ２０１：取得液晶表示パネルが入力した原画像の少なくとも一つの領域階調値を取得するステップ。具体的には、以下のステップを含め、
Ｓ３０１：前記液晶表示パネルを少なくとも２つの予め設定された領域に分割するステップ。
【００４０】
好ましくは、前記液晶表示パネルは、少なくとも２つの画素行又は少なくとも２つの画素列を備え、前記予め設定された領域は、前記画素行又は前記画素列に対応する。
【００４１】
Ｓ３０２：前記予め設定された領域に対応する前記原画像の画素階調値の平均値を取得するステップ。
【００４２】
前記予め設定された領域が複数あるため、各前記予め設定された領域に対応する前記原画像の画素階調値の平均値を計算し、即ち複数の領域平均値を生成する。
【００４３】
Ｓ２０２：複数の予め設定された階調補正区間から、前記領域階調値に対応する予め設定された階調補正区間を選択し、待機階調補正区間とするステップ。
【００４４】
前記予め設定された階調補正区間に、階調補正値が設けられ、各前記領域階調値が対応する予め設定された階調補正区間を取得する。
【００４５】
Ｓ２０３：前記待機階調補正区間に対応する前記階調補正値を取得するステップ。
【００４６】
各前記領域階調値は、一つの前記階調補正値に対応する。
【００４７】
Ｓ２０４：前記階調補正値が対応する予め設定された領域の前記原画像の画素階調値によって補正をする。
【００４８】
例えば、前記液晶表示パネルを複数の前記予め設定された領域に分割し、例として、画素行又は画素列で分割されてもよく、４つの縁部に４つの領域に分割され、中央部に一つの領域に分割されてもよい。そして、前記原画像の全部の画素階調値を取得して、各前記予め設定された領域に対応する前記原画像の画素階調値の平均値（即ち領域階調値）を計算し、各平均値により予め設定された階調補正区間を選択し、各前記平均値が対応する予め設定された階調補正区間を待機階調補正区間とし、複数の前記待機階調補正区間により複数の前記階調補正値を得る。各前記階調補正値が対応する予め設定された領域の前記原画像の画素階調値で補正をする。
【００４９】
例えば、前記液晶表示パネルが、行ごとに３つの予め設定された領域に分割される。その時、第１予め設定された領域の領域階調値は、第４の予め設定された階調補正区間に振り分けられ、ａ４で前記第１予め設定された領域の前記原画像の画素階調値を補正し、第２予め設定された領域の階調の領域階調値は、第８の予め設定された階調補正区間に振り分けられ、ａ８で前記第２予め設定された領域の前記原画像の画素階調値を補正し、第３の予め設定された領域の階調の領域階調値は、第１４の予め設定された階調補正区間に振り分けられ、ａ１４で前記第３の予め設定された領域の前記原画像の画素階調値を補正する。
【００５０】
本実施例は、第１実施例の領域分割よりも精度が高いため、前記原画像階調に対する補正はより均一であり、表示ムラの問題をより改善することができる。
【００５１】
好ましくは、図３に示すように、本発明の階調調整方法は、さらに以下のステップを含む。
【００５２】
Ｓ４０１：前記原画像データが表示される時の前記表示パネルの表示輝度及び透過率を取得するステップ。
【００５３】
前記原画像データが表示される時の前記液晶表示パネルの全体の透過率及び表示輝度、又は複数の予め設定された領域での透過率及び表示輝度を取得する。
【００５４】
前記透過率及び表示輝度に応じて、予め設定されたバックライト調整比率表を検索し、予め設定されたバックライト調整比率表は、複数の透過率及び表示輝度区間を含み、各透過率及び表示輝度区間は、バックライト調整比率に対応する。
【００５５】
Ｓ４０２：前記表示パネルの表示輝度及び透過率により、バックライト調整比率及び前記バックライト調整比率に対応する補助補正値を取得する。
【００５６】
前記透過率を検索することによって、予め設定されたバックライト調整比率表を検索し、対応する前記バックライト調整比率を得る。例えば、バックライト調整比率がバックライトの輝度を３０％低減させると、補助補正値が前記原画像の階調の輝度を３０％増加させる。
【００５７】
Ｓ４０３：前記補助補正値に応じて、前記原画像データの階調値を補正する。
【００５８】
好ましくは、前記方法は、さらに以下のステップを含む。
【００５９】
Ｓ４０４：バックライトの輝度を前記バックライト調整比率に対応する輝度にまで低減させるステップ。バックライト調整比率がバックライトの輝度を動的に調整することにより、バックライトの電力消費を低減することができる。
【００６０】
本実施例では、動的バックライト調整技術を組み合わせて、表示パネルに入力された画像の階調を補正することができ、これによって、より均一に表示できるとともに、バックライトの電力消費を低減することができる。本実施例の好ましい解決策は、他の実施例にも適用することができる。
【００６１】
図４を参照されたい。図４は、本発明第１の階調調整装置の構造概念図を示している。
【００６２】
図４に示すように、本発明が提供する階調調整装置は、液晶表示パネル１５と、バックライト１６と、階調値取得用モジュール１１と、待機階調補正区間取得用モジュール１２と、階調補正値取得用モジュール１３と、第１補正モジュール１４とを備える。
【００６３】
前記液晶表示パネル１５は、第１基板と、第２基板とを備え、前記第１基板は、例えば、アレイ基板であり、前記第２基板は、例えば、カラーフィルム基板であり、前記第１基板は、複数のデータ線と、複数の走査線と、前記データ線と前記走査線とで画定された複数行又は複数列の画素とを備え、前記第２基板は共通電極を備える。前記バックライトは、前記液晶表示パネルにバックライトを提供するために用いられている。
【００６４】
階調値取得用モジュール１１は、液晶表示パネルに入力された原画像の画像階調値又は少なくとも一つの領域階調値を取得するために用いられ、
待機階調補正区間取得用モジュール１２は、複数の予め設定された階調補正区間から前記画像階調値又は前記領域階調値に対応する予め設定された階調補正区間を選択し、待機階調補正区間とするために用いられ、前記予め設定された階調補正区間に、階調補正値が設けられ、
階調補正値取得用モジュール１３は、前記待機階調補正区間に対応する前記階調補正値を取得するために用いられ、
第１補正モジュール１４は、前記階調補正値に応じて前記原画像の画素階調値を補正するために用いられる。
【００６５】
好ましくは、前記階調値取得用モジュール１１は、さらに、前記液晶表示パネルに入力された前記原画像の全部の画素階調値の平均値を取得するために用いられ、
前記第１補正モジュール１４は、さらに、前記階調補正値に応じて前記原画像全体の画素階調値を補正するために用いられる。
【００６６】
好ましくは、前記階調値取得用モジュール１１は、さらに、前記液晶表示パネルを少なくとも２つの予め設定された領域に分割し、前記予め設定された領域に対応する前記原画像の画素階調値の平均値を取得するために用いられ、
前記第１補正モジュール１４は、さらに、前記階調補正値に応じて、対応する予め設定された領域の前記原画像の画素階調値を補正するために用いられる。
【００６７】
好ましくは、前記液晶表示パネルは、少なくとも２つの画素行又は少なくとも２つの画素列と備え、前記予め設定された領域は、前記画素行又は前記画素列に対応する。
【００６８】
好ましくは、前記予め設定された階調補正区間は、経験値により設定され、前記階調補正値は、バックライトの輝度均一性の測定データにより設定される。
【００６９】
好ましくは、図５に示すように、前記階調調整装置は、表示輝度及び透過率取得モジュール１７と、補助補正値取得モジュール１８と、第２補正モジュール１９と、バックライト調整モジュール２０とを備え、
前記表示輝度及び透過率取得モジュール１７は、前記原画像データが表示される時の前記表示パネルの表示輝度及び透過率を取得するために用いられ、
前記補助補正値取得モジュール１８は、前記表示パネルの表示輝度及び透過率に応じて、バックライト調整比率及び前記バックライト調整比率に対応する補助補正値を取得するために用いられ、
前記第２補正モジュール１９は、前記補助補正値に応じて、前記原画像データの階調値を補正するために用いられる。
【００７０】
前記バックライト調整モジュール２０は、バックライトの輝度を前記バックライト調整比率に対応する輝度にまで低減するために用いられる。
【００７１】
本発明の階調調整方法及び装置は、画像の階調平均値を取得し、階調平均値に応じて対応の補正値を取得し、補正値を用いて画像の階調を補正することによって、画面をより均一に表示させ、表示効果を向上させることができる。
【００７２】
以上、本発明の好ましい実施形態について説明したが、本発明は上記実施形態に限定されるものではなく、本発明の趣旨を逸脱しない範囲で種々の変更が可能である。 このように、本発明の保護の範囲は、特許請求の範囲によって定義される。
【図１】
2018530776.tif 000003
【図２】
2018530776.tif 000004
【図３】
2018530776.tif 000005
【図４】
2018530776.tif 000006
【図５】
2018530776.tif 000007
【国際調査報告】
2018530776.tif 000008
2018530776.tif 000009
2018530776.tif 000010
2018530776.tif 000011